(57)【要約】【課題】サムネイル画像に写し込まれた文字画像若しくは画像を鮮明にすることにより、迅速に画像を検索することが可能な撮像装置を提供する。【解決手段】まず、ユーザ操作によりレリーズボタンが押されると（Ｓ１）、カメラはＡＦ、ＡＥ、ＡＷＢ設定後（Ｓ２）、画像データを図１のＤＲＡＭ３７に取り込む（Ｓ３）。取り込まれた画像データはＹＵＶ形式のデータに変換され主画像が作られる（Ｓ４）。主画像からＬＣＤに表示させる確認用の画像を作成し（Ｓ５）、ＬＣＤに表示させる。その後サムネイル用の画像を作成し（Ｓ６）、ユーザがサムネイル写しこみの設定を行っているか否かを判断し（Ｓ７）、サムネイル写しこみの設定を行っていたら（Ｓ７でＹＥＳのルート）、サムネイル写しこみを行い（Ｓ８）、画像ファイルを生成し（Ｓ９）、メモリに書き込む（Ｓ１０）。ステップＳ７でサムネイル写しこみの設定を行っていなければ（Ｓ７でＮＯのルート）、画像ファイルを生成し（Ｓ９）、メモリに書き込む（Ｓ１０）。【選択図】      図２
2004222004.tif 000002
【特許請求の範囲】
【請求項１】
被写体を撮像して画像情報を出力する撮像手段と、該撮像手段により撮像された画像情報に対応する画像を表示する画像情報表示手段とを備え、前記撮像手段により撮像された主画像と共に、該主画像の縮小画像であるサムネイル画像を生成可能な撮像装置であって、
前記サムネイル画像生成時に、撮影時の日付データ若しくは時間データの文字画像を前記サムネイル画像に上書きすることを特徴とする撮像装置。
【請求項２】
被写体を撮像して画像情報を出力する撮像手段と、該撮像手段により撮像された画像情報に対応する画像を表示する画像情報表示手段とを備え、前記撮像手段により撮像された主画像と共に、該主画像の縮小画像であるサムネイル画像を生成可能な撮像装置であって、
前記サムネイル画像生成時に、画像ファイルが生成される際のファイル名若しくは前記ファイル名の一部の文字画像を前記サムネイル画像に上書きすることを特徴とする撮像装置。
【請求項３】
被写体を撮像して画像情報を出力する撮像手段と、該撮像手段により撮像された画像情報に対応する画像を表示する画像情報表示手段と、連写機能とを備え、前記撮像手段により撮像された主画像と共に、該主画像の縮小画像であるサムネイル画像を生成可能な撮像装置であって、
前記サムネイル画像生成時に、前記連写機能により連写撮影された順番を示す数字の文字画像を前記サムネイル画像に上書きすることを特徴とする撮像装置。
【請求項４】
被写体を撮像して画像情報を出力する撮像手段と、該撮像手段により撮像された画像情報に対応する画像を表示する画像情報表示手段と、撮影モードを選択可能な撮影モード選択手段とを備え、前記撮像手段により撮像された主画像と共に、該主画像の縮小画像であるサムネイル画像を生成可能な撮像装置であって、
前記サムネイル画像生成時に、前記撮影モード選択手段により選択されたモードを示す文字画像又は画像、若しくは絞り値、シャッタースピードを示す文字画像又は画像を前記サムネイル画像に上書きすることを特徴とする撮像装置。
【請求項５】
被写体を撮像して画像情報を出力する撮像手段と、該撮像手段により撮像された画像情報に対応する画像を表示する画像情報表示手段と、パラメータをずらしながら連続して記録する機能を少なくとも１つ備えたブラケット手段とを備え、前記撮像手段により撮像された主画像と共に、該主画像の縮小画像であるサムネイル画像を生成可能な撮像装置であって、
前記サムネイル画像生成時に、前記ブラケット手段により決定されたパラメータを示す文字画像又は画像を前記サムネイル画像に上書きすることを特徴とする撮像装置。
【請求項６】
被写体を撮像して画像情報を出力する撮像手段と、該撮像手段により撮像された画像情報に対応する画像を表示する画像情報表示手段とを備え、前記撮像手段により撮像された主画像と共に、該主画像の縮小画像であるサムネイル画像を生成可能な撮像装置であって、
前記サムネイル画像生成時に、前記サムネイル画像に上書きする文字画像又は画像を予め選択可能としたことを特徴とする撮像装置。
【請求項７】
被写体を撮像する際に前記サムネイル画像に文字画像又は画像を上書きするか否かを任意に選択可能としたことを特徴とする請求項１乃至６の何れか一項に記載の撮像装置。
【発明の詳細な説明】
【０００１】
【発明の属する技術分野】
本発明は、撮像装置に関し、さらに詳しくは、主画像のサムネイル画像生成方法に関するものである。
【０００２】
【従来の技術】
従来より、画像を撮影した日付や時間を確認したいために、主画像に時間や日付を写しこむ日付写し込みの機能をもつカメラがある。しかしながら、特に、電子カメラに付属されている表示装置は小さいため、主画像が１枚ずつ表示される場合が多く、写しこまれた日付を見て画像検索すると目的とする画像を検索するのに多大の時間を要していた。また、プリント時に、写したかった部分が日付で上書きされてしまうため、撮影後に時間や日付データを取り除きたい場合でも写しこんでしまった時間や日付を取り除くことはできなかった。
そこで、検索の時間を短縮するために特開２００２−１５２６７４公報には、ユーザの指示によって表示画面上でサイネイル画像の何れかの順番を入れ替える技術について開示されている。それによると、サムネイル処理手段で、移動元画像ＮＯ、移動先画像ＮＯ、表示する画像ＮＯを抽出し、この抽出した移動元画像ＮＯ、移動先画像ＮＯ、表示する画像ＮＯを保管先処理手段に送り、この保管先処理手段で保管先アドレスを抽出し、その抽出した保管先アドレスをサムネイル処理手段に引き渡すことにより、任意な順番で画像の表示が可能となるとしている。
【特許文献１】特開２００２−１５２６７４公報
【０００３】
【発明が解決しようとする課題】
従来のサムネイル作成方法は、主画像に日付を写しこんでからサムネイルを作成するため、縮小時に字がつぶれて判読不能となるといった問題がある。
また、特許文献１はユーザの指示によって表示画面上でサイネイル画像の何れかの順番を入れ替えるものであり、入れ替えにより検索の時間は短縮されるが、サムネイル画像の作成方法は従来の方法と変わらないため、縮小時に字がつぶれて判読不能となるといった問題は解決されない。
本発明は、かかる課題に鑑み、サムネイル画像に写し込まれた文字画像若しくは画像を鮮明にすることにより、迅速に画像を検索することが可能な撮像装置を提供することを目的する。
【０００４】
【課題を解決するための手段】
本発明はかかる課題を解決するために、請求項１は、被写体を撮像して画像情報を出力する撮像手段と、該撮像手段により撮像された画像情報に対応する画像を表示する画像情報表示手段とを備え、前記撮像手段により撮像された主画像と共に、該主画像の縮小画像であるサムネイル画像を生成可能な撮像装置であって、前記サムネイル画像生成時に、撮影時の日付データ若しくは時間データの文字画像を前記サムネイル画像に上書きすることを特徴とする。
本発明は、撮像後、主画像からサムネイルの画像が生成される際にサムネイルに日付もしくは時間の文字をサムネイル画像データに上書きするものである。従来から電子カメラにはサムネイル画像を一画面に複数枚同時に表示させるサムネイル一覧表示する機能がある。サムネイル画像に日付もしくは時間の文字画像を写しこむことにより、サムネイルの一覧を見て写しこまれた画像をもとに画像を判断することが可能であり、主画像を１枚１枚検索するより検索が速く、主画像にデータを上書きすることもない。
かかる発明によれば、サムネイル画像に文字画像若しくは画像を写しこむので、画像が鮮明となり、写しこまれた画像をもとに画像を判断すること可能となりサムネイル画像の検索を迅速に行うことができる。
請求項２は、被写体を撮像して画像情報を出力する撮像手段と、該撮像手段により撮像された画像情報に対応する画像を表示する画像情報表示手段とを備え、前記撮像手段により撮像された主画像と共に、該主画像の縮小画像であるサムネイル画像を生成可能な撮像装置であって、前記サムネイル画像生成時に、画像ファイルが生成される際のファイル名若しくは前記ファイル名の一部の文字画像を前記サムネイル画像に上書きすることを特徴とする。
本発明は、ファイル名もしくはその一部をサムネイルに上書きするものであり、デジタルカメラには撮影した順番どおり連番でファイル名を付けていく機能を持っているので、順番により主画像の判断をつけることができる。また、カメラは撮影順に画像を表示することが一般的に行われており、ファイル名に空き番号があった場合は、その画像は消去されているということがサムネイル一覧を見るだけで確認することができる。
かかる発明によれば、サムネイル画像にファイル名若しくはファイル名の一部の文字画像を上書きするので、ファイル名から主画像の判断を容易に行うことができる。
【０００５】
請求項３は、被写体を撮像して画像情報を出力する撮像手段と、該撮像手段により撮像された画像情報に対応する画像を表示する画像情報表示手段と、連写機能とを備え、前記撮像手段により撮像された主画像と共に、該主画像の縮小画像であるサムネイル画像を生成可能な撮像装置であって、前記サムネイル画像生成時に、前記連写機能により連写撮影された順番を示す数字の文字画像を前記サムネイル画像に上書きすることを特徴とする。
本発明は、連写記録で撮影した場合に、連写の何枚目に記録した画像であるかをサムネイルに写しこむものであり、連写撮影モードでレリーズを押し始めてからカウントされ、一度レリーズを離すとカウントはクリアされる。この発明により、サムネイル一覧表示で画像を確認した場合でも、連写で記録した画像であると確認できると共に、それが連写の何枚目であるかも確認することができる。また途中で画像を消去した場合、何枚目の画像が消去されたのかが明瞭に判断できる。
かかる発明によれば、サムネイル画像に連写の順番に連番が付されるので、連写の画像であることが一目瞭然に分かり、しかも、それが連写の何枚目であるかも確認することができる。
請求項４は、被写体を撮像して画像情報を出力する撮像手段と、該撮像手段により撮像された画像情報に対応する画像を表示する画像情報表示手段と、撮影モードを選択可能な撮影モード選択手段とを備え、前記撮像手段により撮像された主画像と共に、該主画像の縮小画像であるサムネイル画像を生成可能な撮像装置であって、前記サムネイル画像生成時に、前記撮影モード選択手段により選択されたモードを示す文字画像又は画像、若しくは絞り値、シャッタースピードを示す文字画像又は画像を前記サムネイル画像に上書きすることを特徴とする。
本発明は、撮影モード選択手段により「絞り優先」「シャッター優先」などのモードを示すもの、もしくは絞り値（絞り優先の場合）、シャッタースピード（シャッター優先の場合）を示す文字もしくは絵柄の画像データをサムネイルに写しこむ機能がある。また、モードは上記のものに限らず「夜景モード」や「ポートレートモード」などのモードにも用いることができる。
かかる発明によれば、撮影モード選択手段によりモードを選択できるので、ユーザはサムネイルを見ただけで設定していた撮影のモードを知ることができる。
【０００６】
請求項５は、被写体を撮像して画像情報を出力する撮像手段と、該撮像手段により撮像された画像情報に対応する画像を表示する画像情報表示手段と、パラメータをずらしながら連続して記録する機能を少なくとも１つ備えたブラケット手段とを備え、前記撮像手段により撮像された主画像と共に、該主画像の縮小画像であるサムネイル画像を生成可能な撮像装置であって、前記サムネイル画像生成時に、前記ブラケット手段により決定されたパラメータを示す文字画像又は画像を前記サムネイル画像に上書きすることを特徴とする。
フォーカスやホワイトバランスなどの、パラメータをずらしながら連続して記録する機能（オートブラケット、フォーカスブラケット、ホワイトバランスブラケット）を用いて撮影された画像に対し、そのパラメータのずれが分かるような文字もしくは絵柄の画像データをサムネイルに写しこむ。これにより、サムネイルを見ただけでパラメータのずれがわかるようになる。通常では特にパラメータをずらして撮影するような場合は、サムネイルを見てパラメータのずれを把握することは難しく、また、カメラで主画像を確認する場合においても違いがわかりづらい。本発明によりサムネイルを見ただけでパラメータを判断できることは効果的である。
かかる発明によれば、パラメータをずらしながら連続して記録された画像に対して、そのパラメータのずれが分かるような文字もしくは絵柄の画像データをサムネイルに写し込むので、サムネイルを見ただけでパラメータを判断することができる。
請求項６は、被写体を撮像して画像情報を出力する撮像手段と、該撮像手段により撮像された画像情報に対応する画像を表示する画像情報表示手段とを備え、前記撮像手段により撮像された主画像と共に、該主画像の縮小画像であるサムネイル画像を生成可能な撮像装置であって、前記サムネイル画像生成時に、前記サムネイル画像に上書きする文字画像又は画像を予め選択可能としたことを特徴とする。
ユーザが任意の文字もしくは絵柄を写し込むことを可能にすることにより、ユーザ自身で画像の判別を付けることができる。後で確認するためにユーザが検索するときに、サムネイルを見てどの画像であったかを判別しやすくする。
かかる発明によれば、サムネイル画像にユーザが任意の文字もしくは絵柄を写し込むことができるので、後でサムネイル画像を検索するのが容易となる。
請求項７は、被写体を撮像する際に前記サムネイル画像に文字画像又は画像を上書きするか否かを任意に選択可能としたことを特徴とする。
かかる発明によれば、ユーザが任意にサムネイルの文字もしくは絵柄の写し込みをするか否かを選択できることにより、ユーザが写しこみが必要なときだけ使用でき、利便性を向上することができる。
【０００７】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係る画像処理演算を適用したデジタルカメラのブロック図である。このデジタルカメラは、被写体の光学画像を取り込む撮影レンズ系１０と絞り・シャッター系１１があり、撮影レンズ系１０には、ズームレンズ１２、駆動モータ１３、及びモータドライバ１４、フォーカスレンズ１６、駆動モータ１７、及びモータドライバ１８を有し、絞り・シャッター系１１には、絞り・シャッター２０、駆動モータ２１、及びモータドライバ２２を有する。そして、各モータドライバ１４、１８、２２は、センサ（図示省略）のセンシング入力や操作部３３の操作入力に基づくＣＰＵ３０からの駆動指令により駆動制御される。また、ＣＰＵ３０内の図示しないＲＯＭには、解読可能なコードで記述された制御プログラムが格納されている。このデジタルカメラの電源がオン状態になると、前記プログラムは図示しないメインメモリにロードされ、前記ＣＰＵ３０はそのプログラムに従って装置各部の動作を制御するとともに、制御に必要なデータ等を一時的にＲＡＭに保存する。なお、後述のように本実施形態における発明の動作は、前記ＲＯＭに格納された制御プログラムに従ってＣＰＵ３０により行なわれるものである。
またＣＣＤ３４及びフロントエンドチップ３５が順に接続され、これら両者に信号発生器３６がそれぞれ接続されている。ここで、ＣＣＤ３４は、光学画像を光電変換するための固体撮像素子であり、フロントエンドチップ（Ｆ／Ｅ）３５は、画像ノイズ除去用相関二重サンプリング（ＣＤＳ）機能、利得調整・補正用ＡＧＣ機能、ディジタル信号変換用Ａ／Ｄ変換機能を有し、信号発生器（ＳＧ）３６は、ＣＰＵ３０によって制御されるＣＣＤ３４及びフロントエンド３５のタイミング信号発生器である。
更に、フロントエンドチップ３５の後段にあって、ＤＲＡＭ３７が接続されたＩＰＰ（Ｉｍａｇｅ  Ｐｒｅ  Ｐｒｏｃｅｓｓｏｒ）３８を備え、順にＪＰＥＧコーダ３９、メモリ４０が接続される。そして、ＩＰＰ３８とＤＲＡＭ３７との間、ＩＰＰ３８とＪＰＥＧコーダ３９との間、及びＪＰＥＧコーダ３９とメモリ４０との間のみならず、これらＩＰＰ３８、ＪＰＥＧコーダ３９、メモリ４０とＣＰＵ３０及び表示部３２の液晶モニタ４１との間でも、それぞれバスにつながれて相互に信号データの授受が行われる。
【０００８】
ここで、ＩＰＰ３８は、画像変換演算器であり、フロントエンドチップ３５から入力されたディジタル画像信号をＲＧＢ色表現のディジタルカラー映像信号に変換し、次いでＹＵＶ色表現のディジタルカラー映像信号に変換する機能を有する。ＤＲＡＭ３７は、画像信号あるいは映像信号のデータをＩＰＰ３８との間でストアあるいはロードするためのメモリである。ＪＰＥＧコーダ３９は、カラー映像信号から色変更成分及び高周波成分をカットする画像圧縮、伸張機能を有し、メモリ４０は、圧縮後のカラー映像信号の記録装置である。なお、本発明の実施形態では、メモリ４０としてメモリカードを採用しているが、これに限らずその他の半導体メモリ、光メモリ等であってもよい。
また表示部３２は、画像処理部にて画像処理された画像を画面に表示する液晶モニタ４１、及び別途ＣＰＵ３０からの情報を表示するサブ液晶表示装置４２を有する。また、ＣＰＵ３０の操作入力装置として操作部３３を有する。この操作部３３の例としては、本デジタルカメラに設けられたシャッターボタン（レリーズボタン）、ズームボタン、十字キー等のボタン類に限らず、前記液晶モニタ４１上に設けられたいわゆるタッチパネルによるものや、リーモートコントロールによるものであってもよい。なお、図１にあって、電源装置５はＤＣ／ＤＣコンバータ５０に電池５１及びＡＣアダプタ５２が接続される構成となっている。
尚、本実施形態の一般的な撮影動作については公知であるので、説明を省略する。
【０００９】
図２は１枚撮影した場合のサムネイル写しこみ動作を説明するフローチャートである。まず、ユーザ操作によりレリーズボタンが押されると（Ｓ１）、カメラはＡＦ（オートフォーカス）、ＡＥ（自動露出）、ＡＷＢ（オートホワイトバランス）設定後（Ｓ２）、画像データ（ＲＡＷデータ）を図１のＤＲＡＭ３７に取り込む（Ｓ３）。取り込まれた画像データはＹＵＶ形式のデータに変換され主画像が作られる（Ｓ４）。主画像からＬＣＤに表示させる確認用の画像を作成し（Ｓ５）、ＬＣＤに表示させる。その後サムネイル用の画像を作成し（Ｓ６）、ユーザがサムネイル写しこみの設定を行っているか否かを判断し（Ｓ７）、サムネイル写しこみの設定を行っていたら（Ｓ７でＹＥＳのルート）、サムネイル写しこみを行い（Ｓ８）、画像ファイルを生成し（Ｓ９）、メモリに書き込む（Ｓ１０）。ステップＳ７でサムネイル写しこみの設定を行っていなければ（Ｓ７でＮＯのルート）、画像ファイルを生成し（Ｓ９）、メモリに書き込む（Ｓ１０）。サムネイルの写しこみについては、ＹＵＶ形式のデータの主画像データから作成されたサムネイルデータは、ＹＵＶ形式で図１のＤＲＡＭ３７に一時記憶される。一時記憶されたサムネイルのＹＵＶデータに、写しこむ画像データもしくは文字データをＹＵＶ形式で上書きすることによって行う。
【００１０】
図３は連写撮影やオートブラケット撮影をした場合のサムネイル写しこみ動作を説明するフローチャートである。まず、ユーザ操作によりレリーズボタンが押されると（Ｓ１１）、カメラはＡＦ（オートフォーカス）、ＡＥ（自動露出）、ＡＷＢ（オートホワイトバランス）設定後（Ｓ１２）、画像データ（ＲＡＷデータ）を図１のＤＲＡＭ３７に取り込む（Ｓ１３）。取り込まれた画像データはＹＵＶ形式のデータに変換され主画像が作られる（Ｓ１４）。その後サムネイル用の画像を作成し（Ｓ１５）、ユーザがサムネイル写しこみの設定を行っているか否かを判断し（Ｓ１６）、サムネイル写しこみの設定を行っていたら（Ｓ１６でＹＥＳのルート）、サムネイル写しこみを行い（Ｓ１７）、取り込みが終了したか否かをチェックし（Ｓ１８）、終了していなければ（Ｓ１８でＮＯのルート）、パラメータの変更があるか否かをチェックし（Ｓ２１）、変更がなければ（Ｓ２１でＮＯのルート）、ステップＳ１３に戻って繰り返し、変更があれば（Ｓ２１でＹＥＳのルート）、パラメータを変更して（Ｓ２２）ステップＳ１３に戻って繰り返す。ステップＳ１８で取り込みが終了したら（Ｓ１８でＹＥＳのルート）、画像ファイルを生成し（Ｓ１９）、メモリに書き込む（Ｓ２０）。
尚、作成された主画像やサムネイルのデータはＤＲＡＭ３７に書き込んでおき後でＤＲＡＭ３７からデータを読み、画像ファイルを作成するものとする。また、画像ファイル作成の方法はこれに限らず、先に主画像のデータをＤＲＡＭ３７に書き込んでおき、取り込み終了後サムネイル作成を行い画像ファイルを作成してもかまわない。
【００１１】
図４はカメラでサムネイルの一覧表示をおこなった場合の画面表示の図である。サムネイルを一覧として液晶モニタ４１に表示し、サムネイルを選択して主画像を再生することができる。例えば、上段左のサムネイル画像６０は絞り優先撮影時にＦ５．６で撮影したことを示す写しこみがされたサムネイルである。また上段中央のサムネイル画像６１はシャッター優先撮影時に１／２５０秒のシャッタースピードで撮影されたことを示す写しこみがされたものである。また６２、６３、６４のサムネイル画像は、オートブラケット撮影で撮影され、それぞれ、＋０．２５ＥＶ、０ＥＶ、−０．２５ＥＶで撮影されたことを示す写しこみがされたものである。また６５、６６、６７のサムネイル画像は連写のときに、それぞれ１枚目、２枚目、３枚目に撮影された画像であることを示す写しこみがされたものである。また６８のサムネイル画像は、ポートレートモードで撮影されたことを示す写しこみがされたものである。
これらのサムネイル一覧画像から、選択ボタン６９により選択し、ＥＮＴＥＲボタン７０を押すことにより決定される。このように、サムネイルの一覧表示の段階でどのようなモードで撮影されたものなのか、もしくはどのようなパラメータで撮影された画像なのかがわかることにより、主画像を見なくてもどのような意図で撮影された画像であることがわかり、主画像を見なくても画像の違いを把握することができる。その他にも連写撮影で何枚撮影したのか、削除した場合に何枚目を削除したのかがわかるため、サムネイル表示で画像の把握や管理が行いやすくなる。
【００１２】
【発明の効果】
以上記載のごとく請求項１の発明によれば、サムネイル画像に文字画像若しくは画像を写しこむので、画像が鮮明となり、写しこまれた画像をもとに画像を判断すること可能となりサムネイル画像の検索を迅速に行うことができる。
また請求項２では、サムネイル画像にファイル名若しくはファイル名の一部の文字画像を上書きするので、ファイル名から主画像の判断を容易に行うことができる。
また請求項３では、サムネイル画像に連写の順番に連番が付されるので、連写の画像であることが一目瞭然に分かり、しかも、それが連写の何枚目であるかも確認することができる。
また請求項４では、撮影モード選択手段によりモードを選択できるので、ユーザはサムネイルを見ただけで設定していた撮影のモードを知ることができる。
また請求項５では、パラメータをずらしながら連続して記録された画像に対して、そのパラメータのずれが分かるような文字もしくは絵柄の画像データをサムネイルに写し込むので、サムネイルを見ただけでパラメータを判断することができる。
また請求項６では、サムネイル画像にユーザが任意の文字もしくは絵柄を写し込むことができるので、後でサムネイル画像を検索するのが容易となる。
また請求項７では、ユーザが任意にサムネイルの文字もしくは絵柄の写し込みをするか否かを選択できることにより、ユーザが写しこみが必要なときだけ使用でき、利便性を向上することができる。
【図面の簡単な説明】
【図１】本発明の実施形態に係る画像処理演算を適用したデジタルカメラのブロック図である。
【図２】１枚撮影した場合のサムネイル写しこみ動作を説明するフローチャートである。
【図３】連写撮影やオートブラケット撮影をした場合のサムネイル写しこみ動作を説明するフローチャートである。
【図４】カメラでサムネイルの一覧表示をおこなった場合の画面表示の図である。
【符号の説明】
１０  撮影レンズ系、１１  シャッター系、３３  操作部、３０  ＣＰＵ、３４  ＣＣＤ、３５  Ｆ／Ｅ、３６  ＴＧ、３７  ＤＲＡＭ、３８  ＩＰＰ、４０メモリカード、４１  液晶モニタ
【図１】
2004222004.tif 000003
【図２】
2004222004.tif 000004
【図３】
2004222004.tif 000005
【図４】
2004222004.tif 000006